(57)【要約】【課題】ショーケース本体の前面下部と床面との隙間を利用して物品類が収納される収納箱を容易に配設することができるとともに、常に前面下部と床面との隙間がキックプレートで覆われ、収納箱が露呈することのないショーケースを提供すること。【解決手段】ショーケース本体１のフロント下部３と床面１２との隙間Ｓを、長手方向に延びるキックプレート１３により閉塞してなるショーケースであって、前記キックプレート１３を分割して着脱自在な分割キックプレート１５と固定のキックプレート本体１４とするとともに、該分割キックプレート１５の背面側に収納箱２０を連設したショーケース。【選択図】図１
2007312827.tif 000002
【特許請求の範囲】
【請求項１】
ショーケース本体のフロント下部と床面との隙間を、長手方向に延びるキックプレートにより閉塞してなるショーケースであって、
前記キックプレートの所定範囲を分割して着脱自在な分割キックプレートとするとともに、該分割キックプレートの背面側に収納箱を連設したことを特徴とするショーケース。
【請求項２】
前記収納箱は、連結手段により前記分割キックプレートに係脱可能に連設されている請求項１に記載のショーケース。
【請求項３】
前記連結手段は、前記分割キックプレートを上下に移動可能な係着手段で構成されているが形成されている請求項２に記載のショーケース。
【請求項４】
前記収納箱には、前記床面を走行する車輪が具備されている請求項１乃至３のいずれかに記載のショーケース。
【請求項５】
前記分割キックプレートはマグネット部材により前記ショーケース本体に着脱自在に磁着される請求項１乃至４のいずれかに記載のショーケース。
【発明の詳細な説明】
【技術分野】
【０００１】
本発明は、ショーケース本体のフロント下部と床面との隙間を、長手方向に延びるキックプレートにより閉塞してなるショーケースに関する。
【背景技術】
【０００２】
従来、特に食品陳列用のスーパーマーケット等に設置されるショーケース本体の外箱底部のフロント下部と床面との高さは短寸であるため、そのほとんどがデッドスペースとなって前面がキックプレートで塞がれているが、このデットスペースに電源用端子ボックスが設けて底部空間を有効利用したものが知られている（例えば、特許文献１参照）。この電源用端子ボックスは、キックプレートの上に配設した複数の分割されたフロントパネルで覆われ、これらフロントパネルはショーケースのフロント側下部に着脱自在に取り付けられている。
【０００３】
また、ショーケース本体の前面下部と床面との間に形成された収納空間の一側部を利用して、ショーケース本体内に設けられた電気器具の中継器としての電装箱を支持枠と底板上に摺動可能に載置したものが公知である（例えば、特許文献２参照）。この電装箱の前面には、ショーケース本体下部に着脱自在に前面下部カバー（キックプレート）が装着されており、これを装着している時は電装箱が前面に露呈することがない。そして、前面下部カバーを取り外したのち、電装箱を前方に引き出すことで、メンテナンス等の配線作業を行うことができる。
【０００４】
【特許文献１】特許第３３８４２１５号公報（段落００１０〜００１２、図１）
【特許文献２】特開２０００ー２０１７８１号公報（段落００２７〜００３１、図２，図３）
【発明の開示】
【発明が解決しようとする課題】
【０００５】
しかしながら、特許文献１にあっては、キックプレート上部に設けたフロントパネルを分割して電源用端子ボックスの設置や利用の利便性を図ったものではあるが、ショーケース本体の下部のキックプレートを分割して、ショーケース本体のフロント下部と床面との間に収納箱を配して隙間空間を有効に利用したものではなく、また、特許文献２にあっては、ショーケース本体の前面下部と床面との間の収納空間を利用して電装箱が設けられているが、電装箱を収納空間から前方に引き出す際には、予め前面下部カバー（キックプレート）の取り外し作業を別途行わねばならず、電装箱の収納時には再び前面下部カバーを取り付ける手間を要した。
【０００６】
本発明は、このような問題点に着目してなされたもので、ショーケース本体の前面下部と床面との隙間を利用して物品類が収納される収納箱を容易に配設することができるとともに、常に前面下部と床面との隙間がキックプレートで覆われ、収納箱が露呈することのないショーケースを提供することを目的とする。
【課題を解決するための手段】
【０００７】
上記課題を解決するために、本発明の請求項１に記載のショーケースは、ショーケース本体のフロント下部と床面との隙間を、長手方向に延びるキックプレートにより閉塞してなるショーケースであって、前記キックプレートの所定範囲を分割して着脱自在な分割キックプレートとするとともに、該分割キックプレートの背面側に収納箱を連設したことを特徴としている。
この特徴によれば、分割キックプレートの背面側に収納箱を連設することにより、ショーケース本体のフロント下部と床面との隙間空間を有効利用でき、しかも収納箱が常に分割キックプレートで覆われるので、収納箱の露呈が避けられる。また。分割キックプレートがショーケース本体側のキックプレートから所定範囲で分割形成されていることから、キックプレート全体を取り外すことなく、収納箱に対応する分割キックプレートのみを取り外すだけで、容易に収納箱を引き出すことができる。そして収納箱の収納時において、ショーケース本体側の既存のキックプレートと分割キックプレートとが、ショーケース本体前面側から正面視で長手方向に一体に連なるキックプレートとなるので、ショーケース本体下部の全体的な統一感が出て見栄えも良いショーケースとなる。
【０００８】
本発明の請求項２に記載のショーケースは、請求項１に記載のショーケースであって、前記収納箱は、連結手段により前記分割キックプレートに係脱可能に連設されていることを特徴としている。
この特徴によれば、収納箱と分割キックプレートとは互いに係脱可能に連結されているので、ショーケース本体のフロント下部と床面との隙間や奥行きの形状に合わせて収納箱に適宜交換することが可能であり、収納箱が不要の場合は取り外して、収納箱が必要なショウケースに用いることができる。
【０００９】
本発明の請求項３に記載のショーケースは、請求項２に記載のショーケースであって、前記連結手段は、前記分割キックプレートを上下に移動可能な係着手段で構成されているが形成されていることを特徴としている。
この特徴によれば、収納箱が分割キックプレートに対して上下に移動できるので、分割キックプレートに連接された収納箱を、その高さの大小に関係なく床面に着座させることができる。
【００１０】
本発明の請求項４に記載のショーケースは、請求項１乃至３のいずれかに記載のショーケースであって、前記収納箱には、前記床面を走行する車輪が具備されていることを特徴としている。
この特徴によれば、車輪に沿って収納箱の出し入れを円滑に行うことができるとともに、床面と収納箱の底面との摩擦が避けられることから、床面に疵が生じることもない。
【００１１】
本発明の請求項５に記載のショーケースは、請求項１乃至４のいずれかに記載のショーケースであって、前記分割キックプレートはマグネット部材により前記ショーケース本体に着脱自在に磁着されることを特徴としている。
この特徴によれば、マグネット部材を用いることにより、分割キックプレートをショーケース本体に容易に磁着できる。また、ショーケース本体側に収納箱を収納しない場合であっても、収納箱から分離した分割キックプレートを単体でショーケース本体に磁着できるので、外部からは違和感のない通常のショーケースとして視認される。
【発明を実施するための最良の形態】
【００１２】
本発明の実施例を以下に説明する。
【実施例】
【００１３】
図１（ａ）は、本発明の実施例におけるショーケース本体の下部を示す斜視図であり、図１（ｂ）は、ショーケース本体のフロント下部と床面との隙間に形成された収納空間から収納箱を前方に引き出した状態を示す斜視図であり、図２は、マグネット固定板を用いてフロント下部に取り付けられるマグネット部材を示す分解組立斜視図であり、図３は、収納箱と、その収納箱に取り付けられる分割キックプレートを示す分解組立斜視図であり、図４は、収納箱と分割キックプレートの連結を示す平面図であり、図５は、分割キックプレートが連結した状態で収納箱をフロント下部の収納空間に収納した状態を示す側面図であり、図６は、分割キックプレートがマグネット部材に磁着された状態を示す平面図である。
【００１４】
図１（ａ）に示されるショーケース本体１は、主に商店やスーパーマーケットやコンビニエンスストア等の食品等を取り扱う販売店舗に設置され、商品を低温に保ったまま保冷、または冷凍した状態で陳列するために設置される冷蔵ショーケースであり、床面１２に設置される基台５の上部には、正面側を開口した筐体６が設けられている。この筐体６により囲まれた冷蔵室８には、商品を陳列する陳列棚（図示省略）が上下方向に複数設置され、最下部に設けられた陳列棚７にも商品３７を陳列可能になっており、特に図示しないが筐体６の上方から下方に向けて吹き出されるエアーカーテンによって冷蔵室８に多数載置される商品を効率良く冷却可能な構成となっている。
【００１５】
以下、本実施例の説明において、ショーケース本体１を対面した状態で見て、筐体６の開口側を前方とし、閉塞側を後方とし、ショーケースの長手幅方向の側方を左右方向として説明する。ショーケース本体１のフロント下部の前面全域には、長手方向に沿ってフロントカバー２が設けられている。このフロントカバー２の下端から後方に向けて設けられたフロント下面３と床面１２との隙間には、フロントカバー２の前面よりも後方に凹設されたケコミ位置で長手方向に延在されたキックプレート１３がフロントカバー２と略同一幅で設けられている。
【００１６】
キックプレート１３は、所定の長さ範囲で分割された着脱自在な分割キックプレート１５（左方）と、ショーケース本体１側に取り付けられたキックプレート本体１４（右方）と、から構成され、互いの前面が面一となるように取り付けられている。この分割キックプレート１５は磁性体から成る金属板で形成されている。分割キックプレート１５を取り外すには、中央位置に形成された引出孔１５ｃに指や先端鈎状の工具等を挿し込み前方に引き出すことで引出可能になっている。
【００１７】
そして、図１（ｂ）に示されるように、前方に引き出された分割キックプレート１５の背面１５ｂには、後述において詳しく説明するが、上方が開口する前後方向に長い矩形状に金属板で折り曲げ形成された収納箱２０が係脱可能に連設されている。収納箱２０が収納される収納空間Ｓは、上下がフロント下面３と床面１２との隙間とで形成され側部が基台５で囲繞されている。収納箱２０の左右下部にはキャスタ３５を備えた車輪取付部材２４が設けられており、このキャスタ３５によって収納箱２０および分割キックプレート１５がショーケース本体１に対して前後方向に移動可能である。
【００１８】
収納箱２０には、踏み台や工具、清掃用品等の物品３６が各種収納され、ショーケース本体１のメンテナンスや清掃等に適宜利用可能になっている。また、本実施例では特に説明はしないが、収納箱２０を前述した特許文献２と同様にショーケース本体１内に設けられた冷却機、ファン、照明灯などの電気器具の中継器としての電装箱としても利用可能であることは言うまでもない。フロント下面３の基台５側の前方およびキックプレート本体１４側の前方の両部には、後述において詳しく説明するが、前面にマグネット部材３０を備えたマグネット固定板３１が左右一対でそれぞれ設けられている。
【００１９】
次に、図２に示されるように、マグネット部材３０およびマグネット固定板３１について具体的に説明する。マグネット部材３０の前面には磁性体と磁着可能な磁着部３０ａが形成され、磁着部３０ａの後部位置には矩形ボックス状の嵌合部３０ｂが設けられ、嵌合部３０ｂの上下位置に係止爪３０ｃが形成されている。マグネット固定板３１には前面を向くように折り曲げ形成された取付片３２と、上面を向くように折り曲げ形成された連結片３３が形成され、取付片３２には嵌合部３０ｂと嵌合可能なマグネット取付孔３２ａが形成され、連結片３３にはビス貫通孔３３ａが前後一対で形成されている。
【００２０】
まず、マグネット取付孔３２ａに嵌合部３０ｂを嵌合し、さらに嵌合部３０ｂを後方に向けて押し込むことで係止爪３０ｃがマグネット取付孔３２ａを乗り越えて、取付片３２の後面に係止されることで、マグネット部材３０がマグネット固定板３１に対して一体に固定される。次いで、マグネット固定板３１を収納空間Ｓに挿し入れて、フロント下面３に連結片３３を当接した状態で、一対のビス３４を前後のビス貫通孔３３ａ，３３ａを介して、フロント下面３に予め形成されたビス穴（図示省略）に螺着することで、マグネット固定板３１がショーケース本体１下面に固定される。
【００２１】
このようにして、マグネット部材３０，３０が収納空間Ｓの基台５側とキッププレート本体１４側に近接する左右両端部位置に左右対称位置に取り付けられる（図３参照）。尚、マグネット部材３０の取り付けについては、マグネット固定板３１を予めフロント下面３にビス止めしたのち、マグネット部材３０をマグネット固定板３１に取り付けるようにしても良い。
【００２２】
図３に示されるように、収納箱２０の前面２０ａの左右端部位置には、一方の連結手段である左右一対の収納箱連結片２３，２３が、金属板の折り曲げにより左右対称形状をなしかつ収納箱２０の高さと略同幅で形成され、熱溶接により連結されている。これら一対の収納箱連結片２３，２３には、上面視で左右方向に向けて開口するコ字状に折曲げ形成された一方の係着手段である係合凹部２３ａ，２３ａが収納箱２０の高さに沿って上下方向に形成されている。
【００２３】
一方、収納箱２０の左右側部２１，２１に設けられる車輪取付部材２４，２４は、下向に向かい開口するようにコ字状に折り曲げ形成され、このコ字状内の前端および後端の近傍位置にキャスタ３５，３５が離間して固着されている。車輪取付部材２４，２４の収納箱２０側の側壁面には、前後一対でネジ貫通孔２４ａ，２４ａが形成されている。収納箱２０の左右側部２１，２１には、ネジ貫通孔２４ａ，２４ａと重なる位置に前後一対のネジ穴２１ａ，２１ａが形成されており、一対のネジ２５，２５を車輪取付部材２４，２４の内部からネジ貫通孔２４ａ，２４ａを介して、ネジ穴２１ａ，２１ａに螺着することで車輪取付部材２４，２４が収納箱２０に固定され、収納箱２０がキャスタ３５，３５を介して支持されるように構成されている。
【００２４】
分割キックプレート１５は、収納空間Ｓの前面の左右幅および上下幅を覆うように略同幅で形成されている。図４に示すように、分割キックプレート１５の背面１５ｂには、他方の連結手段である左右一対の分割キックプレート連結片１６，１６が、金属板の折り曲げにより形成され、熱溶接により連結されている。これら一対の分割キックプレート連結片１６，１６には、収納箱連結片２３，２３の係合凹部２３ａ，２３ａに係脱可能な上面視で前方に向けて開口するコ字状に折曲げ形成された他方の係着手段である係合部１６ａ，１６ａが分割キックプレート１５の高さに沿って上下方向に形成されている。
【００２５】
収納箱２０の前面２０ａに分割キックプレート１５を連設するには、係合部１６ａ，１６ａの下端を係合凹部２３ａ，２３ａの上端に係合し、図４に示されるように、係合凹部２３ａ，２３ａに沿って係合部１６ａ，１６ａを摺接しながら下方に向けて移動させ、分割キックプレート１５に収納箱２０を係合させる。このように、係合凹部２３ａと係合部１６ａの係合によって、分割キックプレート１５を収納箱２０に対して上下に摺動移動できるので、分割キックプレート１５に連接された収納箱２０を、その高さの大小に関係なく床面１２に着座させることができる。
【００２６】
係合凹部２３ａ，２３ａの下端には、床面１２と水平となるように折り曲げられた支持部２３ｂ，２３ｂが形成されており、係合部１６ａ，１６ａは支持部２３ｂ，２３ｂで支持され、落ち込みが防止される。つまり、収納箱２０に対して分割キックプレート１５の下端が床面１２と当接しないように、床面１２から一定の高さで保持されるので、収納箱２０に対して分割キックプレート１５の高さを調整することなく、簡便な作業で収納箱２０に連設できる。
【００２７】
図５に示されるように、収納箱２０は、キャスタ３５，３５によって前後方向に移動可能になっており、収納箱２０の出し入れをキャスタ３５，３５で円滑に行うことができるとともに、床面１２と収納箱２０の底部２０ｃの底面との摩擦が避けられることから、床面１２に疵が生じることもない。また、前述したように分割キックプレート１５の下端が床面１２から一定の高さで保持されているので、収納箱２０の出し入れ時に分割キックプレート１５によって床面１２に疵を生じることも未然に避けられている。
【００２８】
そして、収納箱２０の収納時には、分割キックプレート１５の背面側に収納箱２０が連設されていることから、フロント下面３と床面１２との収納空間Ｓに収納箱２０が収納されるだけで、常に分割キックプレート１５で収納空間Ｓの前面が覆われるので、収納箱２０および該収納箱２０に収納される物品類および収納空間Ｓにおけるショーケース本体１の内部の露呈が避けられている。
【００２９】
しかも、図１（ｂ）に示されるように、分割キックプレート１５がキックプレート本体１４と分割されているから、収納箱２０に連設する分割キックプレート１５のみを取り外すだけで、容易に収納箱２０を引き出すことができる。そして、図１（ａ）に示されるように、収納箱２０の収納時において、ショーケース本体１側の既存のキックプレート本体１４と分割キックプレート１５とが、ショーケース本体１の前面側から正面視で長手方向に一体に連なるキックプレート１３となるので、ショーケース本体１の下部を構成するフロントカバー２やキックプレート本体１４と分割キックプレート１５の全体的な統一感が出て見栄えも良いショーケースとなる。
【００３０】
そして、ショーケース本体１が床面１２に設置された後であっても、収納箱２０と分割キックプレート１５とは互いに係脱可能に連結されているので、ショーケース本体１のフロント下部３と床面との隙間や奥行きの形状、ショーケース本体側のキックプレートの長さに応じて、新たな分割キックプレートや収納箱に適宜交換することも可能となる。
【００３１】
収納箱２０が収納空間Ｓの前方から後方に向けて収納されていくと、図６に示されるように、左右のマグネット固定板３１，３１の取付片３２，３２によって、分割キックプレート１５の左右端部１５ａ，１５ａの後方への移動が規制されるとともに、これら左右端部１５ａ，１５ａが取付片３２，３２に設けられたマグネット部材３０，３０の磁着部３０ａ，３０ａに磁着されるので、分割キックプレート１５、１５のガタツキが防止され、安定した取り付け状態が維持されるとともに、ショーケース本体１の通常使用時における分割キックプレート１５の安易な取り外れが防止される。
【００３２】
したがって、分割キックプレート１５側に固定手段を設けることなく、簡便な構成でショーケース本体１側に分割キックプレート１５を容易に着脱自在に磁着できる。しかも、分割キックプレート１５が左右端部１５ａ，１５ａで磁着されるため、収納箱２０の収納時にキックプレート本体１４に対して左右端部１５ａ，１５ａの位置合わせを行うだけで、分割キックプレート１５とキックプレート本体１４が連続したキックプレート１３として構成できる。
【００３３】
また、特に図示しないがショーケース本体１側に収納箱２０を収納しない場合であっても、収納箱２０から分離した分割キックプレート１５を単体でショーケース本体１に磁着できるので、外部からは違和感のない通常のショーケースとして視認される。以上の説明により本実施例では、ショーケース本体１の収納空間Ｓを利用して物品類が収納される収納箱２０を容易に配設できるとともに、常に収納空間Ｓの前面が分割キックプレート１５で覆われるので、収納箱２０およびショーケース本体１の下部内部が露呈することのないショーケースとなっている。
【００３４】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、分割キックプレート連結片１６と収納箱連結片２３を連結手段としたことで、分割キックプレート１５と収納箱２０との連設および分離を簡便に行えることから好ましいが、本発明はこれに限定されるものではなく、係脱可能な手段であれば、ネジはフック等を用いて連設するようにしてもよい。
【００３５】
また、上記実施例では、上下方向に伸びる係合部１６ａおよび係合凹部２３ａとの係着手段によって分割キックプレート１５を上下方向に移動して取り付けを行えることから好ましいが、本発明はこれに限定されるものではなく、例えば、収納箱２０の前面２０ａに上向き鈎状の係止爪を設け、分割キックプレート１５の背面１５ｂに下向き鈎状の係止爪を設けることで、上向き鈎状の係止爪に下向き鈎状の係止爪を掛止して、分割キックプレート１５を取り付けるようにしてもよい。
【００３６】
また、上記実施例では、分割キックプレート１５を磁性体から成る金属板で構成したが、少なくとも分割キックプレート１５の背面１５ｂのマグネット部材３０と磁着する箇所が磁性体で構成されていればよい。また、分割キックプレート１５側にマグネット部材を取り付け、マグネット固定板３１を磁性体で構成しても良い。
【００３７】
また、上記実施例では、マグネット部材３０を用いて分割キックプレート１５を着脱自在とした構成となっており、何度でも繰り返してショーケース本体１側に着脱できることから好ましいが、本発明はこれに限定されるものではなく、分割キックプレート１５の背面１５ｂおよびマグネット固定板３１の取付片３２の前面位置に、従来公知の面ファスナーのフック面とループ面とをそれぞれ対向するように設け、このフック面とループ面との係着により分割キックプレート１５を着脱するようにしてもよい。
【００３８】
更に、上記実施例では、キックプレート１３をキックプレート本体１４と分割キックプレート１５の２部材で構成したが、分割キックプレート１５を複数設けて、それぞれに収納箱を設けるようにしても良い。
【図面の簡単な説明】
【００３９】
【図１】（ａ）は、本発明の実施例におけるショーケース本体の下部を示す斜視図であり、（ｂ）は、ショーケース本体のフロント下部と床面との隙間に形成された収納空間から収納箱を前方に引き出した状態を示す斜視図である。
【図２】マグネット固定板を用いてフロント下部に取り付けられるマグネット部材を示す分解組立斜視図である。
【図３】収納箱と、その収納箱に取り付けられる分割キックプレートを示す分解組立斜視図である。
【図４】収納箱と分割キックプレートの連結を示す平面図である。
【図５】分割キックプレートが連結した状態で収納箱をフロント下部の収納空間に収納した状態を示す側面図である。
【図６】分割キックプレートがマグネット部材に磁着された状態を示す平面図である。
【符号の説明】
【００４０】
１                ショーケース本体
２                フロントカバー
３                フロント下部のフロント下面
５                基台
６                筐体
７                商品の陳列棚
８                冷蔵室
１２              床面
１３              キックプレート
１４              キックプレート本体
１５              分割キックプレート
１５ａ            端部
１５ｂ            背面
１５ｃ            引出孔
１６              分割キックプレート連結片（他方の連結手段）
１６ａ            係合部（他方の係着手段）
２０              収納箱
２０ａ            前面
２０ｂ            後面
２０ｃ            底部
２１              側部
２１ａ            ネジ穴
２３              収納箱連結片（一方の連結手段）
２３ａ            係合凹部（一方の係着手段）
２３ｂ            支持部
２４              車輪取付部材
２４ａ            ネジ貫通孔
２５              ネジ
３０              マグネット部材
３０ａ            磁着部
３０ｂ            嵌合部
３０ｃ            係止爪
３１              マグネット固定板
３２              取付片
３２ａ            マグネット取付孔
３３              連結片
３３ａ            ビス貫通孔
３４              ビス
３５              キャスタ（車輪）
３６              物品
３７              商品
Ｓ                収納空間（隙間）
【図１】
2007312827.tif 000003
【図２】
2007312827.tif 000004
【図３】
2007312827.tif 000005
【図４】
2007312827.tif 000006
【図５】
2007312827.tif 000007
【図６】
2007312827.tif 000008